(57)【特許請求の範囲】
【請求項１】
予め定められた会員が所有する複数の車両が登録され、該登録された車両の中から任意の前記車両を前記会員に選択させるために、前記車両の登録番号の一覧を示す登録車両一覧画面を携帯端末に表示させる登録車両一覧表示方法であって、
前記登録車両一覧画面の表示要求に応じて、前記登録された車両の登録件数が予め定められた所定件数を超えているか否かを判定する過程と、
前記所定件数を超えていると判定すると、前記登録車両一覧画面として前記携帯端末に表示させるべき前記登録番号を、前記登録番号が有する陸運支局、前記車両の種別及び分類を示す分類番号、事業用か否かを示す文字、一連指定番号等の任意の項目に基づいて前記会員に限定させるための限定画面を前記携帯端末に表示させる限定画面情報を生成する過程と、
前記生成した限定画面情報を前記表示要求元の前記携帯端末に送信する過程と、
前記携帯端末にて表示された前記限定画面に応じて前記会員に入力された限定情報を前記携帯端末から受信する過程と、
前記受信した限定情報に対応する前記登録番号を、前記会員に関連付けて複数記憶している前記登録番号を有する車両情報の中から抽出する過程と、
前記抽出した前記登録番号に基づいて前記登録車両一覧画面を表示するための登録車両一覧情報を生成する過程と、
前記生成した登録車両一覧情報を前記表示要求元の前記携帯端末に送信する過程と、
を備えることを特徴とする登録一覧表示方法。
【請求項２】
予め定められた会員が所有する複数の車両が登録され、該登録された車両の中から任意の前記車両を前記会員に選択させるために、前記車両の登録番号の一覧を示す登録車両一覧画面を携帯端末に表示させるための登録車両一覧情報を前記携帯端末に送信する登録車両選択装置であって、
陸運支局、前記車両の種別及び分類を示す分類番号、事業用か否かを示す文字、一連指定番号等の複数の項目を有して構成している前記登録番号を有する車両情報を、当該車両情報が示す前記車両を所有する前記会員に関連付けて記憶する車両情報記憶手段と、
前記登録車両一覧画面の表示要求に応じて、前記登録された車両の登録件数が予め定められた所定件数を超えているか否かを判定する判定手段と、
前記判定手段が前記所定件数を超えていると判定すると、前記登録車両一覧画面として前記携帯端末に表示させるべき前記登録番号を、前記登録番号が有する陸運支局、分類番号、文字、一連指定番号等の任意の項目に基づいて前記会員に限定させるための限定画面を前記携帯端末に表示させる限定画面情報を生成する限定画面情報生成手段と、
前記限定画面情報生成手段が生成した限定画面情報を前記表示要求元の前記携帯端末に送信する限定画面情報送信手段と、
前記携帯端末にて表示された前記限定画面に応じて前記会員に入力された限定情報を前記携帯端末から受信する限定情報受信手段と、
前記限定情報受信手段が受信した前記限定情報に対応する前記登録番号を、前記車両情報記憶手段が前記会員に関連付けて記憶している前記車両情報の中から抽出する抽出手段と、
前記抽出手段が抽出した前記登録番号に基づいて前記登録車両一覧情報を生成する登録車両一覧情報生成手段と、
前記登録車両一覧情報生成手段が生成した登録車両一覧情報を前記表示要求元の前記携帯端末に送信する登録車両一覧情報送信手段と、
を備えることを特徴とする登録車両選択装置。
【請求項３】
前記会員が任意に定めた前記所定件数を示す所定件数情報を当該会員に対応して記憶する所定件数情報記憶手段をさらに備え、
前記判定手段は、前記所定件数情報記憶手段が記憶している所定件数情報の中から前記表示要求元の前記会員に対応する前記所定件数情報を抽出し、該所定件数情報が示す件数に基づいて前記判定を行う
ことを特徴とする請求項２に記載の登録車両選択装置。
【発明の詳細な説明】
【０００１】
【発明の属する技術分野】
本発明は、登録車両一覧表示方法及び登録車両選択装置に関し、より詳細には、予め定められた会員が所有する複数の車両が登録され、該登録された車両の中から任意の前記車両を前記会員に選択させるために、前記車両の登録番号の一覧を示す登録車両一覧画面を携帯端末に表示させる登録車両一覧表示方法、及び、予め定められた会員が所有する複数の車両が登録され、該登録された車両の中から任意の前記車両を前記会員に選択させるために、前記車両の登録番号の一覧を示す登録車両一覧画面を携帯端末に表示させるための登録車両一覧情報を前記携帯端末に送信する登録車両選択装置に関するものである。
【０００２】
【従来の技術】
近年の携帯電話、通信可能なＰＤＡ（Personal Digital Assistants）等の携帯端末の普及によって携帯端末に対してサービスを提供する各種装置が考案されている。その１つとして、予め定められた会員が所有する車両に現在位置を示す位置情報を検出して前記車両の外部に出力する車載器を搭載させ、会員からの要求に応じて車載器から出力された位置情報を会員の携帯端末に表示させて会員に車両の現在位置を認識させる位置情報提供装置がある。
【０００３】
以下に、位置情報提供装置が、株式会社ＮＴＴドコモのｉモードサービスを介して位置情報を会員の携帯電話（携帯端末に相当）に提供する場合の一例を、図１０の図面を参照して以下に説明する。
【０００４】
図１０に示すように、サービス会社、管理会社、警備会社等に設置される位置情報提供装置１００は、インターネット１に接続が可能なパーソナル・コンピュータ等によって構成している。そして、位置情報提供装置１００からインターネット１を介してｉモードサーバ２に送信された情報は、パケット交換網３を介してそのまま携帯電話２０に送信される。また、携帯電話２０からの情報も同様に、パケット通信網３、ｉモードサーバ２、インターネット１を介して位置情報提供装置１００に送信される。
【０００５】
会員が登録した車両３０の各々には、車載器４０を搭載している。この車載器４０は、ＧＰＳ（global positioning system＝全地球側位システム）を構成する複数の人工衛星が発射する電波をＧＰＳ受信機で受信し、このＧＰＳ受信機の現在の位置情報を求め、この位置情報を車両の現在位置として無線通信によって位置情報提供装置１００に送信する。
【０００６】
上述した構成において、会員は携帯電話２０によって会員を特定するＩＤコード等を入力して位置情報提供装置１００とインターネット接続を行う。そして、このインターネット接続をした後、会員によって位置情報を検索したい車両３０の登録番号（陸運局等に登録した番号、具体的には、ナンバープレートに示される番号）の入力が行われると、この入力された登録番号が位置情報提供装置１００に送信される。
【０００７】
位置情報提供装置１００は、受信した登録番号に対応する車両３０に搭載された車載器４０から、車両３０の現在位置を示す位置情報を無線通信によって受信する。そして、この受信した位置情報は、携帯電話２０に送信され、その携帯電話２０の表示部２１にて表示されることで、会員は携帯電話２０にて指定した車両３０の現在位置を確認している。
【０００８】
このように携帯電話２０の表示部２１にて登録している車両３０を指定し、この指定した車両３０に対するサービスを提供する装置としては、上述した位置情報提供装置１００の他にも移動監視装置、盗難車両追跡装置等の装置が存在している。
【０００９】
例えば、移動監視装置とは、移動監視を依頼する車両３０が駐車場等に到着すると、会員は携帯電話２０にて車両４０を特定し、駐車予定時間等を入力して監視を依頼する。すると、移動監視装置は駐車予定時間の間、車両３０の車載器４０から位置情報を定期的に取り込み、移動していないかを監視し、移動したことを検出すると盗難が発生したものと見なして会員に警報する。
【００１０】
また、盗難車両追跡装置も同様に、盗難の発生等に応じて携帯電話２０にて指定された車両３０の追跡が依頼されると、車両３０の車載器４０から位置情報を定期的に取り込み、この位置情報を会員、警備会社、警察等に提供している。これらの装置は、会員が所有する車両３０に発生した盗難等の犯罪の早期解決に貢献している。
【００１１】
【発明が解決しようとする課題】
ところで、上述した従来の装置では、車両３０を指定させるために上述した携帯電話２０の表示部２１に入力部を表示させ、この入力部に登録番号を入力させていたため、会員が登録番号を覚えている必要があった。しかしながら、個人のように１台の車両３０を登録している場合は問題ないが、会員がレンタカー会社等の場合、登録している車両台数も多くなり、その全ての車両３０の登録番号を憶えていることは困難である。
【００１２】
そこで、携帯電話２０に会員が登録している車両３０の登録番号の一覧を表示することが考えられるが、携帯端末がデータ転送量に応じて課金される携帯電話２０の場合、携帯電話２０にて表示させるデータ量が増加してしまうと、それに伴って会員が支払う通信料が増大してしまうという問題があった。また、携帯電話２０の表示部２１は小型であるため表示される情報量が制限されてしまい、登録している車両３０の登録台数が多い場合、表示部２１に一覧を表示させてもその中から任意の登録番号を見つけ出すことは困難であった。
【００１３】
よって本発明は、上述した問題点に鑑み、携帯端末にて登録している車両を会員に効率よく選択させることができる登録車両一覧表示方法及び登録車両選択装置を提供することを課題としている。
【００１４】
【課題を解決するための手段】
上記課題を解決するため本発明によりなされた請求項１記載の登録車両一覧表示方法は、予め定められた会員が所有する複数の車両が登録され、該登録された車両の中から任意の前記車両を前記会員に選択させるために、前記車両の登録番号の一覧を示す登録車両一覧画面を携帯端末に表示させる登録車両一覧表示方法であって、前記登録車両一覧画面の表示要求に応じて、前記登録された車両の登録件数が予め定められた所定件数を超えているか否かを判定する過程と、前記所定件数を超えていると判定すると、前記登録車両一覧画面として前記携帯端末に表示させるべき前記登録番号を、前記登録番号が有する陸運支局、前記車両の種別及び分類を示す分類番号、事業用か否かを示す文字、一連指定番号等の任意の項目に基づいて前記会員に限定させるための限定画面を前記携帯端末に表示させる限定画面情報を生成する過程と、前記生成した限定画面情報を前記表示要求元の前記携帯端末に送信する過程と、前記携帯端末にて表示された前記限定画面に応じて前記会員に入力された限定情報を前記携帯端末から受信する過程と、前記受信した限定情報に対応する前記登録番号を、前記会員に関連付けて複数記憶している前記登録番号を有する車両情報の中から抽出する過程と、前記抽出した前記登録番号に基づいて前記登録車両一覧画面を表示するための登録車両一覧情報を生成する過程と、前記生成した登録車両一覧情報を前記表示要求元の前記携帯端末に送信する過程と、を備えることを特徴とする。
【００１５】
上記請求項１に記載した本発明の登録車両一覧表示方法によれば、登録車両一覧画面の表示要求に応じて、会員によって登録された車両の登録件数が所定件数を越えているか否かが判定される。そして、所定件数を超えていると、登録車両一覧画面として前記携帯端末に表示させるべき登録番号を、登録番号が有する任意の項目に基づいて会員に限定させるための限定画面情報が生成されて携帯端末に送信されると、携帯端末には限定画面が表示される。そして、この限定画面に応じて入力された限定情報が携帯端末から受信すると、この限定情報に対応する登録番号が複数の車両情報の中から抽出される。そして、抽出した登録番号に基づいて登録車両一覧情報が生成されて携帯端末に送信されると、携帯端末には登録車両一覧画面が表示される。よって、会員が登録している車両の台数が所定件数を超えていると、表示要求に応じて携帯端末２０には限定画面が表示され、会員はこの限定画面に応じて限定情報を入力することで、この限定情報に対応する登録番号の一覧である登録車両一覧画面が携帯端末２０に表示されるため、会員は限定された登録番号の一覧の中から任意の車両に対応する登録番号を効率よく選択することができる。また、登録番号を陸運支局、前記車両の種別及び分類を示す分類番号、事業用か否かを示す文字、一連指定番号等の複数の項目に区分することで、例えば、一連指定番号の特定の桁、特定の数字を含む一連指定番号、分類番号の特定数字等のように、特定の項目に着目した限定画面を作成することが可能となり、効率よく登録番号を会員に限定させることができるため、限定された登録番号の一覧の中から任意の車両に対応する登録番号を会員により一層効率よく選択させることができる。さらに、登録件数が多いときに限定画面によって登録車両一覧画面に表示される件数を会員によって限定させることで、携帯端末２０に送信する登録車両一覧情報のデータ転送量を小さくすることができるため、データ転送量に応じて課金される携帯端末２０を会員が用いても、会員が支払う通信料を極力少なくすることができる。
【００１６】
上記課題を解決するため本発明によりなされた請求項２記載の登録車両選択装置は、図１の基本構成図に示すように、予め定められた会員が所有する複数の車両が登録され、該登録された車両の中から任意の前記車両を前記会員に選択させるために、前記車両の登録番号の一覧を示す登録車両一覧画面を携帯端末２０に表示させるための登録車両一覧情報を前記携帯端末２０に送信する登録車両選択装置であって、陸運支局、前記車両の種別及び分類を示す分類番号、事業用か否かを示す文字、一連指定番号等の複数の項目を有して構成している前記登録番号を有する車両情報を、当該車両情報が示す前記車両を所有する前記会員に関連付けて記憶する車両情報記憶手段Ｄ１と、前記登録車両一覧画面の表示要求に応じて、前記登録された車両の登録件数が予め定められた所定件数を超えているか否かを判定する判定手段Ｐ１と、前記判定手段Ｐ１が前記所定件数を超えていると判定すると、前記登録車両一覧画面として前記携帯端末２０に表示させるべき前記登録番号を、前記登録番号が有する陸運支局、分類番号、文字、一連指定番号等の任意の項目に基づいて前記会員に限定させるための限定画面を前記携帯端末２０に表示させる限定画面情報を生成する限定画面情報生成手段Ｐ２と、前記限定画面情報生成手段Ｐ２が生成した限定画面情報を前記表示要求元の前記携帯端末２０に送信する限定画面情報送信手段Ｎ１と、前記携帯端末２０にて表示された前記限定画面に応じて前記会員に入力された限定情報を前記携帯端末２０から受信する限定情報受信手段Ｎ２と、前記限定情報受信手段Ｎ２が受信した前記限定情報に対応する前記登録番号を、前記車両情報記憶手段Ｄ１が前記会員に関連付けて記憶している前記車両情報の中から抽出する抽出手段Ｐ３と、前記抽出手段Ｐ３が抽出した前記登録番号に基づいて前記登録車両一覧情報を生成する登録車両一覧情報生成手段Ｐ４と、前記登録車両一覧情報生成手段Ｐ４が生成した登録車両一覧情報を前記表示要求元の前記携帯端末２０に送信する登録車両一覧情報送信手段Ｎ３と、を備えることを特徴とする。
【００１７】
上記請求項２に記載した本発明の登録車両選択装置によれば、会員によって登録された車両を示す車両情報は、車両情報が有する登録番号が陸運支局、前記車両の種別及び分類を示す分類番号、事業用か否かを示す文字、一連指定番号等の複数の項目に区分され、その会員に関連付けられて車両情報記憶手段Ｄ１に記憶される。そして、登録車両一覧画面の表示要求に応じて、登録された車両の登録件数が予め定められた所定件数を超えているか否かが判定手段Ｐ１によって判定される。そして、所定件数を超えているとの判定結果に応じて限定画面情報生成手段Ｐ２によって生成された前記登録番号が有する陸運支局、分類番号、文字、一連指定番号等の任意の項目に基づいて会員に限定させるための限定画面情報が、限定画面情報送信手段Ｎ１によって携帯端末２０に送信されると、携帯端末２０には限定画面が表示される。そして、携帯端末２０にて表示された限定画面に応じて会員に入力された限定情報は、限定情報受信手段Ｎ２によって携帯端末２０から受信され、この限定情報に対応する登録番号が抽出手段Ｐ３によって車両情報記憶手段Ｄ１が前記会員に関連付けて記憶している車両情報の中から抽出される。そして、抽出された登録番号に基づいた登録車両一覧情報が登録車両一覧情報生成手段Ｐ４によって生成され、この登録車両一覧情報は登録車両一覧情報送信手段Ｎ３によって携帯端末２０に送信されると、携帯端末２０には会員によって限定された車両の登録番号の一覧を示す登録車両一覧画面が表示される。
【００１８】
よって、会員が登録している車両の台数が所定件数を超えていると、表示要求に応じて携帯端末２０には限定画面が表示され、会員はこの限定画面に応じて限定情報を入力することで、この限定情報に対応する登録番号の一覧である登録車両一覧画面が携帯端末に表示されるため、限定された登録番号の一覧の中から任意の車両に対応する登録番号を会員に効率よく選択させることができる。また、登録番号を陸運支局、前記車両の種別及び分類を示す分類番号、事業用か否かを示す文字、一連指定番号等の複数の項目に区分することで、例えば、一連指定番号の特定の桁、特定の数字を含む一連指定番号、分類番号の特定数字等のように、特定の項目に着目した限定画面を作成することが可能となり、効率よく登録番号を会員に限定させることができるため、限定された登録番号の一覧の中から任意の車両に対応する登録番号を会員により一層効率よく選択させることができる。さらに、登録件数が多くても限定画面によって登録車両一覧画面に表示される件数を限定することで、携帯端末２０に送信する登録車両一覧情報のデータ転送量を小さくすることができるため、データ転送量に応じて課金される携帯端末２０を会員が用いても、会員が支払う通信料を極力少なくすることができる。
【００２１】
上記課題を解決するためになされた請求項３記載の発明は、図１の基本構成図に示すように、請求項２に記載の登録車両選択装置において、前記会員が任意に定めた前記所定件数を示す所定件数情報を当該会員に対応して記憶する所定件数情報記憶手段Ｄ２をさらに備え、前記判定手段Ｐ１は、前記所定件数情報記憶手段Ｄ２が記憶している所定件数情報の中から前記表示要求元の前記会員に対応する前記所定件数情報を抽出し、該所定件数情報が示す件数に基づいて前記判定を行うことを特徴とする。
【００２２】
上記請求項３に記載した本発明の登録車両選択装置によれば、会員によって任意に定められた所定件数を示す所定件数情報は所定件数情報記憶手段Ｄ２に記憶される。そして、会員表示要求元の会員に対応する所定件数情報が示す所定件数を登録件数が越えているか否かが判定手段Ｐ１によって判定される。よって、会員によって任意に定められた所定件数を記憶しておき、この所定件数に基づいて限定画面を表示するか否かを判定しているため、会員毎に適した登録件数のときに限定画面を携帯端末２０に表示させることが可能となり、登録車両一覧画面に表示させる登録番号をより一層効率よく会員に限定させることができる。
【００２３】
【発明の実施の形態】
以下、本発明に係る登録車両一覧表示方法を実現する登録車両選択装置を、従来の技術で説明した位置情報提供装置１００（図１０参照）として機能させる一実施の形態を、図２〜図９の図面を参照して説明する。なお、従来の技術のところで説明したものと同一あるいは相当する部分には同一符号を付してその詳細な説明は省略する。
【００２４】
ここで、図２は本発明に係る登録車両選択装置を適用したシステムを示す図であり、図３は登録車両選択装置の概略構成を示す図であり、図４は登録車両選択装置のファイル構成を説明するための図であり、図５は会員情報データベースのデータ構造の一例を説明するための図であり、図６は車両情報データベースのデータ構造の一例を説明するための図であり、図７は図３のＣＰＵが行う処理概要の一例を示すフローチャートであり、図８は図３のＣＰＵが行う登録車両選択処理の一例を示すフローチャートであり、図９は図２の携帯電話に表示される表示例を示す図である。
【００２５】
図２において、本発明に係る登録車両選択装置１０は、従来の技術で説明した図１０に示す位置情報提供装置１００と同様に、サービス会社、管理会社、警備会社等に設置され、インターネット１に接続が可能なパーソナル・コンピュータ等によって構成している。そして、登録車両選択装置１０と携帯端末に相当する携帯電話２０とは、インターネット１、ｉモードサーバ２、パケット通信網３を介したデータの送受信が可能となっている。また、レンタカー会社等の会員が登録した複数の車両の各々には、上述した車載器４０を搭載しており、この車載器４０が検出した位置情報は登録車両選択装置１０に無線通信によって取り込まれる。
【００２６】
図３に示すように、登録車両選択装置１０は、周知であるパーソナル・コンピュータが用いており、予め定めたプログラムに従って装置全体の動作の制御などを行う中央演算処理装置（ＣＰＵ）１０ａを有している。このＣＰＵ１０ａには、バスＢを介してＣＰＵ１０ａのためのプログラム等を格納した読み出し専用のメモリであるＲＯＭ１０ｂ、ＣＰＵ１０ａの処理作業に必要な各種データを格納する作業エリア等を有する読み出し書き込み自在のメモリであるＲＡＭ１０ｃが接続されている。
【００２７】
ＣＰＵ１０ａにはさらに、記憶装置１０ｄがバスＢを介して接続されており、この記憶装置１０ｄにはハードディスクなどを用いている。記憶装置１０ｄは、コンピュータを登録車両選択装置、位置情報提供装置として機能させるためのプログラムファイルや各種データベースなどを記憶している。
【００２８】
ＣＰＵ１０ａにはさらに、入力装置インタフェース（Ｉ／Ｆ）１０ｅ、表示装置インタフェース（Ｉ／Ｆ）１０ｆ、無線装置インタフェース（Ｉ／Ｆ）１０ｇがバスＢを介して接続されている。入力装置Ｉ／Ｆ１０ｅに、キーボードやマウスを有して構成する入力装置１１が接続されると、入力装置１１から入力された各種入力データは、バスＢに供給されてＣＰＵ１０ａに入力される。
【００２９】
表示装置Ｉ／Ｆ１０ｆには、ＣＲＴや液晶ディスプレイなどを用いて構成される表示装置１２が接続されている。そして、この表示装置Ｉ／Ｆ１０ｆは、表示装置１２の表示内容をＣＰＵ１０ａからの指示に基づいて制御するものである。
【００３０】
無線装置Ｉ／Ｆ１０ｇには、無線装置１３が接続されており、この無線装置１３としては携帯電話用モデム等の通信機器を用いている。そして、公衆網等を介して、車載器４０からの情報を受信するとともに、ＣＰＵ１０ａから入力される情報を車載器４０に送信している。また、無線装置１３は無線ＬＡＮ等によってインターネット１との接続を可能としている。
【００３１】
次に、登録車両選択装置１０の記憶装置１０ｄに記憶している本発明に係る情報について説明する。
図４に示すように、上述した記憶装置１０ｄは、登録車両選択プログラムファイルＦ、会員情報データベースＤＢ１、車両情報データベースＤＢ２等を記憶している。
【００３２】
登録車両選択プログラムファイルＦは、予め定められた会員が所有する複数の車両３０が登録され、該登録された車両３０の中から任意の前記車両３０を前記会員に選択させるために、前記車両３０の登録番号の一覧を示す登録車両一覧画面を携帯電話（携帯端末）２０に表示させるための登録車両一覧情報を前記携帯電話（携帯端末）２０に送信するための手段としてコンピュータを機能させるためのプログラム等を格納している。
【００３３】
会員情報データベースＤＢ１は、図５に示すように、登録された会員を識別することが可能な会員情報を格納しており、この会員情報は会員毎に対応するように設けている。この会員情報は、会員を識別するＩＤ（identification number）と、会員によって定められたパスワードと、会社名、連絡先等の会員データと、会員が登録した車両３０の登録台数と、限定画面を携帯電話２０に表示させるか否かを判定するための閾値である所定件数と、を有している。
【００３４】
車両情報データベースＤＢ２は、図６に示すように、登録された車両１０を示す車両情報を格納しており、この車両情報は登録された車両毎に対応するように設けている。この車両情報は、車両３０を所有する会員を示す会員情報を格納している会員情報データベースＤＢ１の格納先を示す会員情報格納先アドレスと、会員によって任意に定められたグループを示すグループコードと、車両３０の登録番号と、車両３０に搭載している車載器４０の識別データ、連絡先等を有する車載器データと、を有している。
【００３５】
なお、本実施の形態では、車両情報の会員情報格納先アドレスによって会員情報と車両情報とを関連付けているが、会員情報とこの会員情報に関連付けられる車両情報を１つのデータベースとして管理するようにしても差し支えない。
【００３６】
また、登録番号は、使用の本拠の位置の陸運支局又は自動車検査登録事務所を示す陸運支局エリアと、自動車の種別及び用途による分類番号を示す車両分類と、事業用かどうかの別等を示すひらがなと、一連の指定番号を示す一連指定番号と、の４つの項目に分類して記憶している。なお、登録番号については、複数の項目に区分し、その項目毎に例えば車両分類が”５００”なら検索キーとして”５”を項目に付加するなど種々異なる実施の形態とすることができる。
【００３７】
以上説明したように、前記登録番号を有する車両情報を、当該車両情報が示す前記車両を所有する前記会員に関連付けて格納している車両情報データベースＤＢ２と、会員が任意に定めた前記所定件数を当該会員に対応して格納している会員情報データベースＤＢ１と、を記憶装置１０ｄが記憶していることから、この記憶装置１０ｄが、車両情報記憶手段及び所定件数情報記憶手段として機能している。
【００３８】
なお、本実施の形態においては、上述した登録車両選択プログラムファイルＦ、会員情報データベースＤＢ１、車両情報データベースＤＢ２等の各種ファイルを、ＣＤ−ＲＯＭ、ＦＤ等のコンピュータが読み込むことができる記憶媒体から、記憶装置１０ｄにインストールしている。しかしながら、本発明はこれに限定するものではなく、ファイルのインストールについては、通信インタフェースなどを設け、インターネットや電話回線等の通信を介してダウンロードするなど種々異なる実施の形態とすることもできる。
【００３９】
また、携帯電話２０は、公知のように、ＣＰＵ、ＲＯＭ、ＲＡＭ、操作部、通信部、音声処理部、着信音発生部、表示部２１の制御を行う表示制御部等を有している。そして、通信部によって登録車両選択装置１０との無線通信を行ない、受信したデータに基づいた各種画面を表示部２１に表示する。
【００４０】
次に、上述した登録車両選択プログラムファイルＦのプログラムによって位置情報提供装置として機能している登録車両選択装置１０のＣＰＵ１０ａが実行する登録車両選択処理の一例を、図７及び図８のフローチャートを参照して以下に説明する。
【００４１】
図７において、位置情報提供装置としてＣＰＵを機能させるための位置情報提供プログラムがＣＰＵ１０ａによって実行されると、ステップＳ１０において、無線装置１３から入力されるデータに携帯電話２０から受信したサービス開始要求が存在するか否かを判定することで、サービス開始要求を受けたか否かが判定される。サービス開始要求を受けていないと判定された場合は（ステップＳ１０でＮ）、この判定処理を繰り返すことでサービス開始要求を待つ。一方、サービス開始要求を受けたと判定された場合は（ステップＳ１０でＹ）、ステップＳ１１に進む。
【００４２】
ステップＳ１１において、携帯電話２０の表示部２１に図９（ａ）に示すログイン画面Ｄ１を表示させるためのログイン画面情報を携帯電話２０に送信するための電文が生成され、この電文が無線装置Ｉ／Ｆ１０ｇに出力され、その後ステップＳ１２に進む。なお、出力された電文は無線装置１３を介してインターネット１に送信され、その後、ｉモードサーバ２、パケット通信網３を介して携帯電話２０に転送され、その表示部２１にログイン画面Ｄ１に表示される。
【００４３】
ログイン画面Ｄ１は、会員にＩＤとパスワードを入力させるＩＤ入力部Ｄ１１及びパスワード入力部Ｄ１２と、サービスの利用開始を会員に選択させるサービス利用ボタンＤ１３とを有している。そして、会員によってサービス利用ボタンＤ１３が選択されると、ＩＤ入力部Ｄ１１及びパスワード入力部Ｄ１２に入力された入力データは登録車両選択装置１０の無線装置１３に送信される。
【００４４】
ステップＳ１２において、無線装置１３からの入力データに基づいてＩＤ、パスワードを受信したか否かが判定される。受信していないと判定された場合は（ステップＳ１２でＮ）、この判定処理を繰り返すことで、ＩＤ、パスワードの受信を待つ。一方、受信していると判定された場合は（ステップＳ１２でＹ）、ステップＳ１３に進む。
【００４５】
ステップＳ１３において、受信したＩＤ、パスワードに対応する会員情報が記憶装置１０ｄの会員情報データベースＤＢ１からＲＡＭ１０ｃに抽出され、その後ステップＳ１４において、登録車両選択プログラムファイルＦの登録車両選択処理が呼び出される。
【００４６】
登録車両選択処理は実行されると、図８に示すステップＳ５０（判定手段に相当）において、前記抽出された会員情報の登録件数が所定件数以上であるか否かが判定される。所定件数より少ないと判定された場合は（ステップＳ５０でＮ）、ステップＳ５１に進む。
【００４７】
ステップＳ５１において、会員情報に関連付けられた車両情報の登録番号の全てがＲＡＭ１０ｃに抽出され、登録されている全ての車両３０の中から検索対象となる車両３０を会員に選択させる登録車両一覧画面Ｄ２（図９（ｂ）参照）を携帯電話２０の表示部２１に表示させるための登録車両一覧情報を送信するための電文が生成され、この電文が無線装置Ｉ／Ｆ１０ｇに出力され、その後ステップＳ５７に進む。なお、出力された電文は無線装置１３を介してインターネット１に送信され、その後、ｉモードサーバ２、パケット通信網３を介して携帯電話２０に転送され、その表示部２１に登録車両一覧画面Ｄ２が表示される。
【００４８】
登録車両一覧画面Ｄ２は、会員に検索対象となる車両３０の登録番号を選択させるための登録番号一覧を表示する一覧表示部Ｄ２１と、会員が登録した車両３０の登録件数を示す件数表示部Ｄ２２と、検索開始を会員に選択させる検索ボタンＤ２３とを有している。一覧表示部Ｄ２１は、その”▼”が選択されると、登録番号の一覧を表示する。また、会員によって検索ボタンＤ２３が選択されると、一覧表示部Ｄ２１で選択された登録番号が選択情報として登録車両選択装置１０の無線装置１３に送信される。
【００４９】
また、ステップＳ５０で登録件数が所定件数以上であると判定されると（ステップＳ５０）、ステップＳ５２（限定情報生成手段に相当）において、携帯電話２０に表示させるべき車両３０の登録番号の一覧を会員に限定させるための限定画面Ｄ３（図９（ｃ）参照）を携帯電話２０の表示部２１に表示させるための限定画面情報を送信するための電文が生成され、その後ステップＳ５３に進む。
【００５０】
ステップＳ５３において、この生成された電文が無線装置Ｉ／Ｆ１０ｇに出力され、その後ステップＳ５４に進む。なお、出力された電文は無線装置１３を介してインターネット１に送信され、その後、ｉモードサーバ２、パケット通信網３を介して携帯電話２０に転送され、表示部２１に限定画面Ｄ３が表示される。
【００５１】
限定画面Ｄ３は、会員に限定情報を入力させるための限定入力部Ｄ３１と、入力を確定させる確定ボタンＤ３２と、を有している。本実施の形態では、限定入力部Ｄ３１に対する入力を、一連指定番号の１桁目というように予め定めた項目としているが、本発明はこれに限定するものではなく、例えば、一連指定番号の何れかの桁に”１”を含む等の予め定められた他の項目を入力させたり、項目も会員に指定させるなど種々異なる実施の形態とすることができる。また、会員によって確定ボタンＤ３２が選択されると、限定入力部Ｄ３１に入力された入力データは限定情報として登録車両選択装置１０の無線装置１３に送信される。
【００５２】
ステップＳ５４において、無線装置１３からの入力データに基づいて限定情報を受信したか否かが判定される。受信していないと判定された場合は（ステップＳ５４でＮ）、この判定処理を繰り返すことで、限定情報の受信を待つ。一方、受信していると判定された場合は（ステップＳ５４でＹ）、ステップＳ５５に進む。
【００５３】
ステップＳ５５（抽出手段に相当）において、受信した限定情報を有する登録番号が車両情報データベースＤＢ２に格納されている車両情報から検索され、該当する登録番号がＲＡＭ１０ｃに抽出され、その後ステップＳ５６に進む。
【００５４】
ステップＳ５６（登録車両一覧情報生成手段に相当）において、ＲＡＭ１０ｃに抽出された登録番号から検索対象となる車両３０を会員に選択させる登録車両一覧画面Ｄ４（図９（ｄ）参照）を携帯電話２０に表示させるための登録車両一覧情報を送信するための電文がＲＡＭ１０ｃに生成され、その後ステップＳ５７に進む。
【００５５】
ステップＳ５７において、この生成された電文が無線装置Ｉ／Ｆ１０ｇに出力され、その後ステップＳ５８に進む。なお、出力された電文は無線装置１３を介してインターネット１に送信され、その後、ｉモードサーバ２、パケット通信網３を介して携帯電話２０に転送され、表示部２１に登録車両一覧画面Ｄ４が表示される。
【００５６】
登録車両一覧画面Ｄ４は、会員に検索対象となる車両３０の登録番号を選択させるための登録番号一覧を表示する一覧表示部Ｄ４１と、例えば”５件／３０件中”というように、限定情報によって限定された件数を示す限定件数表示部Ｄ４２と、検索開始を会員に選択させる検索ボタンＤ４３とを有している。一覧表示部Ｄ４１は、その”▼”が選択されると、限定された登録番号の一覧を表示する。
【００５７】
なお、登録車両一覧画面Ｄ２及びＤ４は、登録されている全ての車両３０の登録番号一覧であるか、会員によって指定された限定情報に対応する登録番号のみを示した登録番号一覧でるかの点が異なる。また、会員によって検索ボタンＤ４３が選択されると、一覧表示部Ｄ４１で選択された登録番号が識別可能な選択情報として登録車両選択装置１０の無線装置１３に送信される。
【００５８】
ステップＳ５８において、無線装置１３からの入力データに基づいて選択情報を受信したか否かが判定される。受信していないと判定された場合は（ステップＳ５８でＮ）、この判定処理を繰り返すことで、選択情報の受信を待つ。一方、受信していると判定された場合は（ステップＳ５８でＹ）、ステップＳ５９において、受信した選択情報がＲＡＭ１０ｃに記憶され、一連の処理が終了されると、ステップＳ１４に復帰してステップＳ１５以降の処理が再開される。
【００５９】
図７に示すステップＳ１５において、ＲＡＭ１０ｃの選択情報に対応する車両情報が車両情報データベースＤＢ２が抽出され、この車両情報の車載器データが示す車載器４０と無線装置１３を介した無線通信が行われ、車載器４０で検出された位置情報がＲＡＭ１０ｃに取り込まれ、その後ステップＳ１６に進む。
【００６０】
ステップＳ１６において、受信した位置情報を示す位置情報画面Ｄ５（図９（ｅ）参照）を携帯電話２０に表示させるための位置画面情報を送信するための電文がＲＡＭ１０ｃに生成され、その後ステップＳ１７に進む。そして、ステップＳ１７において、この生成された電文が無線装置Ｉ／Ｆ１０ｇに出力され、その後ステップＳ１８に進む。なお、出力された電文は無線装置１３を介してインターネット１に送信され、その後、ｉモードサーバ２、パケット通信網３を介して携帯電話２０に転送され、表示部２１に位置情報画面Ｄ５が表示される。
【００６１】
位置情報画面Ｄ５には、車両３０の登録番号、日付、時刻、速度、方位、ＧＰＳ精度、並びに、位置情報である緯度・経度が表示される。この位置情報画面Ｄ５は、位置情報を地図にて表示させたいときに会員によって選択される地図表示ボタンＤ５１を有している。また、会員によって地図表示ボタンＤ５１が選択されると、地図表示要求が登録車両選択装置１０の無線装置１３に送信される。
【００６２】
ステップＳ１８において、無線装置１３からの入力データに基づいて地図表示要求を受信したか否かが判定される。受信していないと判定された場合は（ステップＳ１８でＮ）、ステップＳ２０に進む。一方、受信していると判定された場合は（ステップＳ１８でＹ）、ステップＳ１９に進む。
【００６３】
ステップＳ１９において、ＲＡＭ１０ｃの位置情報に対応した付近の地図画面Ｄ６（図９（ｆ）参照）を携帯電話２０の表示部２１に表示させるための地図画面情報を送信するための電文がＲＡＭ１０ｃに生成され、この電文が無線装置Ｉ／Ｆ１０ｇに出力され、その後ステップＳ２０に進む。なお、出力された電文は無線装置１３を介してインターネット１に送信され、その後、ｉモードサーバ２、パケット通信網３を介して携帯電話２０に転送され、表示部２１に地図画面Ｄ６が表示される。
【００６４】
地図画面Ｄ６は、位置情報に対応する位置付近を示す地図情報が地図情報データベース（図示せず）から抽出されて生成され、この地図が示す車両３０の位置には、例えば”★”などのカーソルを重畳させている。
【００６５】
ステップＳ２０において、無線装置１３からの入力データに基づいて終了要求を受信したか否かが判定される。受信していないと判定された場合は（ステップＳ２０でＮ）、ステップＳ１８に戻り、一連の処理を繰り返すことで、終了要求を受信するのを待つ。一方、受信していると判定された場合は（ステップＳ２０でＹ）、処理を終了する。
【００６６】
以上説明した本実施の形態では、登録車両選択装置１０のＣＰＵ０１ａが判定手段、限定画面情報生成手段、抽出手段、並びに登録車両一覧情報生成手段として機能している。また、無線装置１３によって限定画面情報及び登録車両一覧情報を携帯電話２０に送信し、かつ携帯電話２０から限定情報を受信していることから、無線装置１３が限定画面情報送信手段、限定情報受信手段、並びに登録車両一覧情報送信手段として機能している。
【００６７】
次に、上述した本発明に係る登録車両選択装置１０にて従来の位置情報提供装置１００を実現させた実施の形態の動作（作用）の一例を、図２の図面を参照して説明する。なお、本実施の形態では、登録番号の一連指定番号の１桁目に基づいて会員に限定させる限定画面とした場合であることを前提としている。
【００６８】
会員が携帯電話２０にて位置情報提供サービスを、ｉモードサーバ２を介して登録車両選択装置１０に依頼すると、登録車両選択装置１０は、携帯電話２０の表示部２１に図９（ａ）のログイン画面Ｄ１に表示させる。そして、携帯電話２０にてＩＤ及びパスワードが入力されると、登録車両選択装置１０ではＩＤ及びパスワードに対応する会員情報が会員情報データベースＤＢ１から抽出される。
【００６９】
そして、その会員情報に基づいて、車両３０の登録件数が所定件数を超えているか否かの判定が行われ、所定件数を超えていない場合は、登録されている全ての車両３０の中から検索対象となる車両３０を会員に選択させる登録車両一覧画面Ｄ２（図９（ｂ）参照）を携帯電話２０の表示部２１に表示させるための登録車両一覧情報が生成され、登録車両一覧情報が携帯電話２０に送信されることで、その表示部２１に限定画面Ｄ２が表示される。
【００７０】
また、車両３０の登録件数が所定件数を超えていると、携帯端末２０に表示させるべき車両３０の登録番号の一覧を会員に限定させるための限定画面Ｄ３（図９（ｃ）参照）を携帯電話２０の表示部２１に表示させるための限定画面情報が生成され、この限定画面情報が携帯電話２０に送信されることで、その表示部２１に限定画面Ｄ３が表示される。
【００７１】
限定画面Ｄ３の限定入力部Ｄ３１に例えば”１”が会員によって入力されると、登録車両選択装置１０は車両情報データベースＤＢ２に格納されている車両情報の中から一連指定番号の１桁目が”１”の登録番号が抽出される。そして、この抽出した登録番号に基づいて登録車両一覧情報が生成され、この登録車両一覧情報が携帯電話２０に送信されることで、その表示部２１には、登録車両一覧画面Ｄ４（図９（ｄ）参照）が表示される。
【００７２】
例えば、”品川３３０あ１２３４”、”練馬３００う１５６７”、”多摩５００か１２９０”というような登録番号の一覧を示す登録車両一覧画面Ｄ４が携帯電話３０に表示される。
【００７３】
この登録車両一覧画面Ｄ４に基づいて登録番号が会員によって選択されると、その登録番号の識別が可能な選択情報が登録車両選択装置１０に送信される。そして、登録車両選択装置１０では、選択情報に基づいて車両３０が特定され、その車両３０が搭載する車載器４０から位置情報が取り込まれ、この位置情報が携帯電話２０に送信されることで、その表示部２１には位置情報画面Ｄ５が表示される。
【００７４】
そして、位置情報画面Ｄ５の地図表示ボタンＤ５１が会員によって選択されると、登録車両選択装置１０によって位置情報に対応する地図情報が地図情報データベースから抽出され、この地図情報が携帯電話２０の送信されることで、その表示部２１に地図画面Ｄ６が表示される。
【００７５】
以上説明したように、会員が登録している車両３０の台数が所定件数を超えていると、表示要求に応じて携帯電話（携帯端末）２０には限定画面Ｄ３が表示され、会員はこの限定画面Ｄ３に応じて限定情報を入力することで、この限定情報に対応する登録番号の一覧である登録車両一覧画面Ｄ４が携帯電話２０に表示されるため、限定された登録番号の一覧の中から任意の車両３０に対応する登録番号を会員に効率よく選択させることができる。
【００７６】
また、登録件数が多くても限定画面Ｄ３によって登録車両一覧画面Ｄ４に表示される件数を限定することで、携帯電話２０に送信する登録車両一覧情報のデータ転送量を小さくすることができるため、データ転送量に応じて課金される携帯電話２０を会員が用いても、会員が支払う通信料を極力少なくすることができる。
【００７７】
さらに、登録番号を陸運支局、前記車両の種別及び分類を示す分類番号、事業用か否かを示す文字、一連指定番号等の複数の項目に区分することで、例えば、一連指定番号の特定の桁、特定の数字を含む一連指定番号、分類番号の特定数字等のように、特定の項目に着目した限定画面Ｄ３を作成することが可能となり、効率よく登録番号を会員に限定させることができるため、限定された登録番号の一覧の中から任意の車両に対応する登録番号を会員により一層効率よく選択させることができる。
【００７８】
また、会員によって任意に定められた所定件数を会員情報として記憶しておき、この所定件数に基づいて限定画面Ｄ３を表示するか否かを判定しているため、会員毎に適した登録件数のときに限定画面Ｄ３を携帯電話２０に表示させることが可能となり、登録車両一覧画面Ｄ４に表示させる登録番号をより一層効率よく会員に限定させることができる。
【００７９】
なお、上述した本実施の形態では、ｉモードサーバ２を経由してサービスを提供する場合について説明したが、本発明はこれに限定するものではなく、Ｊ−フォン・グループのＪスカイウェッブ、セルラー電話グループのＥＺｗｅｂ等のサービスを利用した実施の形態としても差し支えない。
【００８０】
また、上述した本実施の形態では、登録車両選択装置１０にて位置情報提供装置１００を実現した場合について説明したが、従来の技術で説明した移動監視装置、盗難車両追跡装置等に登録車両選択装置１０を適用したり、登録車両選択装置１０にて実現させることもできる。
【００８１】
【発明の効果】
以上説明したように請求項１に記載した本発明の登録車両一覧表示方法によれば、会員が登録している車両の台数が所定件数を超えていると、表示要求に応じて携帯端末には限定画面が表示され、会員はこの限定画面に応じて限定情報を入力することで、この限定情報に対応する登録番号の一覧である登録車両一覧画面が携帯端末に表示されるため、会員は限定された登録番号の一覧の中から任意の車両に対応する登録番号を効率よく選択することができるという効果を奏する。また、登録番号を陸運支局、前記車両の種別及び分類を示す分類番号、事業用か否かを示す文字、一連指定番号等の複数の項目に区分することで、例えば、一連指定番号の特定の桁、特定の数字を含む一連指定番号、分類番号の特定数字等のように、特定の項目に着目した限定画面を作成することが可能となり、効率よく登録番号を会員に限定させることができるため、限定された登録番号の一覧の中から任意の車両に対応する登録番号を会員により一層効率よく選択させることができるという効果を奏する。さらに、登録件数が多いときに限定画面によって登録車両一覧画面に表示される件数を会員によって限定させることで、携帯端末に送信する登録車両一覧情報のデータ転送量を小さくすることができるため、データ転送量に応じて課金される携帯端末を会員が用いても、会員が支払う通信料を極力少なくすることができるという効果を奏する。
【００８２】
以上説明したように請求項２に記載した本発明の登録車両選択装置によれば、会員が登録している車両の台数が所定件数を超えていると、表示要求に応じて携帯端末には限定画面が表示され、会員はこの限定画面に応じて限定情報を入力することで、この限定情報に対応する登録番号の一覧である登録車両一覧画面が携帯端末に表示されるため、限定された登録番号の一覧の中から任意の車両に対応する登録番号を会員に効率よく選択させることができるという効果を奏する。また、登録番号を陸運支局、前記車両の種別及び分類を示す分類番号、事業用か否かを示す文字、一連指定番号等の複数の項目に区分することで、例えば、一連指定番号の特定の桁、特定の数字を含む一連指定番号、分類番号の特定数字等のように、特定の項目に着目した限定画面を作成することが可能となり、効率よく登録番号を会員に限定させることができるため、限定された登録番号の一覧の中から任意の車両に対応する登録番号を会員により一層効率よく選択させることができるという効果を奏する。さらに、登録件数が多くても限定画面によって登録車両一覧画面に表示される件数を限定することで、携帯端末に送信する登録車両一覧情報のデータ転送量を小さくすることができるため、データ転送量に応じて課金される携帯端末を会員が用いても、会員が支払う通信料を極力少なくすることができるという効果を奏する。
【００８４】
請求項３に記載の発明によれば、請求項２に記載の発明の効果に加え、会員によって任意に定められた所定件数を記憶しておき、この所定件数に基づいて限定画面を表示するか否かを判定しているため、会員毎に適した登録件数のときに限定画面を携帯端末に表示させることが可能となり、登録車両一覧画面に表示させる登録番号をより一層効率よく会員に限定させることができるという効果を奏する。
【図面の簡単な説明】
【図１】本発明の登録車両選択装置の基本構成を示す図である。
【図２】本発明に係る登録車両選択装置を適用したシステムを示す図である。
【図３】登録車両選択装置の概略構成を示す図である。
【図４】登録車両選択装置のファイル構成を説明するための図である。
【図５】会員情報データベースのデータ構造の一例を説明するための図である。
【図６】車両情報データベースのデータ構造の一例を説明するための図である。
【図７】図３のＣＰＵが行う処理概要の一例を示すフローチャートである。
【図８】図３のＣＰＵが行う登録車両選択処理の一例を示すフローチャートである。
【図９】図２の携帯電話に表示される表示例を示す図である。
【図１０】従来の位置情報提供装置の基本構成の一例を説明するための図である。
【符号の説明】
１０          登録車両選択装置
２０          形態端末（携帯電話）
Ｐ１          判定手段（登録車両選択装置のＣＰＵ）
Ｐ２          限定画面情報生成手段（登録車両選択装置のＣＰＵ）
Ｐ３          抽出手段（登録車両選択装置のＣＰＵ）
Ｐ４          登録車両一覧情報生成手段（登録車両選択装置のＣＰＵ）
Ｄ１          車両情報記憶手段（記憶装置）
Ｄ２          所定件数情報記憶手段（登録車両選択装置の記憶装置）
【図１】
0003740049.tif 000002
【図２】
0003740049.tif 000003
【図３】
0003740049.tif 000004
【図４】
0003740049.tif 000005
【図５】
0003740049.tif 000006
【図６】
0003740049.tif 000007
【図７】
0003740049.tif 000008
【図８】
0003740049.tif 000009
【図９】
0003740049.tif 000010
【図１０】
0003740049.tif 000011